(57)【要約】【課題】棚部内にブラケットを容易に設けることができる水栓装置を提供する。【解決手段】ボウル部よりも上方に延びる壁面に設けられる水栓装置であって、水を吐出する吐水口が設けられた吐水部と、前記壁面から前方に突出するように取り付けられ、上面に物品を載置可能な棚部と、前記棚部の内部に収納され、前記棚部を補強するブラケットと、を備え、前記棚部は、前記ブラケットに対して前方からスライド移動することで、前記ブラケットを前記棚部の内部に収納し、前記棚部は、前記棚部の内部に収納された前記ブラケットの下面の少なくとも一部を覆うことを特徴とする水栓装置。【選択図】図３
2019148093.tif 000002
【特許請求の範囲】
【請求項１】
ボウル部よりも上方に延びる壁面に設けられる水栓装置であって、
水を吐出する吐水口が設けられた吐水部と、
前記壁面から前方に突出するように取り付けられ、上面に物品を載置可能な棚部と、
前記棚部の内部に収納され、前記棚部を補強するブラケットと、
を備え、
前記棚部は、前記ブラケットに対して前方からスライド移動することで、前記ブラケットを前記棚部の内部に収納し、
前記棚部は、前記棚部の内部に収納された前記ブラケットの下面の少なくとも一部を覆うことを特徴とする水栓装置。
【請求項２】
前記棚部は、前記ブラケットに対して前方から略水平にスライド移動することで、前記ブラケットを前記棚部の内部に収納することを特徴とする請求項１記載の水栓装置。
【請求項３】
前記ブラケットは、前記吐水部の上方に配置されることを特徴とする請求項１又は２に記載の水栓装置。
【請求項４】
前記棚部は、前記ブラケットを誘導するガイド部を有することを特徴とする請求項１〜３のいずれか１つに記載の水栓装置。
【請求項５】
前記ブラケットは、前方が開放されるように形成された切り欠き部を有し、
前記棚部は、前記ガイド部と前記切り欠き部とで左右方向の位置を規制することで、前記ブラケットを誘導可能であることを特徴とする請求項４記載の水栓装置。
【請求項６】
前記棚部は、前記ブラケットが所定位置よりも前記棚部の内部に入らないように前記ブラケットを規制する規制部を有することを特徴とする請求項１〜５のいずれか１つに記載の水栓装置。
【発明の詳細な説明】
【技術分野】
【０００１】
本発明の態様は、一般的に、水栓装置に関する。
【背景技術】
【０００２】
特許文献１のように、壁面から前方に突出して形成される棚部を有し、棚部の内部に吐水部を収納する水栓装置が知られている。このような水栓装置は、吐水部の全体が使用者から見えず、デザイン性がよい。また、棚部の上面に小物を置くことができるため、例えば、洗顔の際などに、使用者が眼鏡や化粧品等の小物を置くことができ、使用者の使い勝手がよい。このような棚部を有する水栓装置では、棚部にかかる荷重を支えるために、棚部内にブラケットが設けられる。
【先行技術文献】
【特許文献】
【０００３】
【特許文献１】特開２０１３−２０９８５１号公報
【発明の概要】
【発明が解決しようとする課題】
【０００４】
しかしながら、特許文献１のような水栓装置では、ブラケットを設ける際に、水栓本体にブラケットを固定して、ブラケットに対して上カバー及び下カバーをそれぞれ固定する必要があり、棚部内にブラケットを設けるのに手間がかかっていた。
【０００５】
本発明は、かかる課題の認識に基づいてなされたものであり、棚部内にブラケットを容易に設けることができる水栓装置を提供することを目的とする。
【課題を解決するための手段】
【０００６】
第１の発明は、ボウル部よりも上方に延びる壁面に設けられる水栓装置であって、水を吐出する吐水口が設けられた吐水部と、前記壁面から前方に突出するように取り付けられ、上面に物品を載置可能な棚部と、前記棚部の内部に収納され、前記棚部を補強するブラケットと、を備え、前記棚部は、前記ブラケットに対して前方からスライド移動することで、前記ブラケットを前記棚部の内部に収納し、前記棚部は、前記棚部の内部に収納された前記ブラケットの下面の少なくとも一部を覆うことを特徴とする水栓装置である。
【０００７】
この水栓装置によれば、ブラケットに対して棚部をスライド移動させるだけでブラケットを棚部内に差し込んで収納することができるため、棚部内にブラケットを設けるための手間を削減することができる。従って、棚部内にブラケットを容易に設けることができる水栓装置を提供できる。
【０００８】
第２の発明は、第１の発明において、前記棚部は、前記ブラケットに対して前方から略水平にスライド移動させることで取り付けられることを特徴とする水栓装置である。
【０００９】
この水栓装置によれば、棚部を薄くすることができ、デザイン性を向上させることができる。
【００１０】
第３の発明は、第１又は第２の発明において、前記ブラケットは、前記吐水部の上方に配置されることを特徴とする水栓装置である。
【００１１】
この水栓装置によれば、特に、プルアウト式の吐水部を設けようとした場合、プルアウトの方向に自由度を持たせることができる。
【００１２】
第４の発明は、第１〜第３のいずれか１つの発明において、前記棚部は、前記ブラケットを誘導するガイド部を有することを特徴とする水栓装置である。
【００１３】
この水栓装置によれば、安定してブラケットを棚部内に差し込むことができる。よって、より簡単にブラケットを棚部内に配置することができる。
【００１４】
第５の発明は、第４の発明において、前記ブラケットは、前方が開放されるように形成された切り欠き部を有し、前記棚部は、前記ガイド部と前記切り欠き部とで左右方向の位置を規制することで、前記ブラケットを誘導可能であることを特徴とする水栓装置である。
【００１５】
この水栓装置によれば、ブラケットの構造を簡単なものにしながらも、ブラケットの強度を維持しつつ、ブラケットを安定して棚部内に差し込むことができる。
【００１６】
第６の発明は、第１〜第５のいずれか１つの発明において、前記棚部は、前記ブラケットが所定位置よりも前記棚部の内部に入らないように前記ブラケットを規制する規制部を有することを特徴とする水栓装置である。
【００１７】
この水栓装置によれば、ブラケットが棚部に衝突し棚部が破損することを抑制できる。
【発明の効果】
【００１８】
本発明の態様によれば、棚部内にブラケットを容易に設けることができる水栓装置が提供される。
【図面の簡単な説明】
【００１９】
【図１】実施形態に係る水栓装置を設置した洗面化粧台を模式的に表す斜視図である。
【図２】図２（ａ）及び図２（ｂ）は、実施形態に係る水栓装置を模式的に表す斜視図及び正面図である。
【図３】図３（ａ）及び図３（ｂ）は、実施形態に係る水栓装置を模式的に表す断面図である。
【図４】実施形態に係る水栓装置の一部を模式的に表す分解斜視図である。
【図５】図５（ａ）及び図５（ｂ）は、実施形態に係る水栓装置の一部を模式的に表す斜視図である。
【図６】図６（ａ）及び図６（ｂ）は、実施形態に係る水栓装置の取り付けを模式的に表す斜視図である。
【図７】図７（ａ）及び図７（ｂ）は、実施形態に係る水栓装置の取り付けを模式的に表す斜視図である。
【発明を実施するための形態】
【００２０】
以下、本発明の実施形態について図面を参照しつつ説明する。なお、各図面中、同様の構成要素には同一の符号を付して詳細な説明は適宜省略する。  
図１は、実施形態に係る水栓装置を設置した洗面化粧台を模式的に表す斜視図である。  図１に表したように、洗面化粧台１００は、洗面器１０２と、水栓装置１０と、支持台１０６と、ミラーキャビネット１０８と、照明装置１１０と、を備える。
【００２１】
なお、本願明細書では、水栓装置１０と向き合う使用者からみて手前側を「前方」とし、奥側を「後方」とし、上側を「上方」とし、下側を「下方」とし、右側を「右側方」とし、左側を「左側方」とする。
【００２２】
洗面器１０２は、ボウル部１２２と、バックガード部１２４と、を有する。ボウル部１２２は、下方に向かって凹んだ凹状に形成されている。ボウル部１２２は、排水口（不図示）を有する。排水口は、ボウル部１２２の底部に設けられる。排水口は、排水管に接続され、ボウル部１２２に吐出された水を排水管に流す。
【００２３】
バックガード部１２４は、ボウル部１２２の後端から上方に延びる。バックガード部１２４は、必要に応じて設けられ、省略可能である。洗面器１０２の形状は、少なくともボウル部１２２を有する任意の形状でよい。
【００２４】
洗面器１０２は、支持台１０６の上に設けられる。支持台１０６は、洗面器１０２を支持する。支持台１０６は、例えば、本体部１０６ａと、２つの引き出し１０６ｂ、１０６ｃと、を有する。各引き出し１０６ｂ、１０６ｃは、内部に物品を収納可能とする。
【００２５】
このように、支持台１０６は、物品を収納可能なキャビネットとしても機能する。支持台１０６は、換言すれば、下部キャビネット（フロアキャビネット）である。なお、引き出しの数は、２つに限ることなく、１つでもよいし、３つ以上でもよい。また、支持台１０６は、引き出し式のキャビネットに限ることなく、扉式のキャビネットでもよい。
【００２６】
支持台１０６は、必ずしも収納機能を有していなくてもよい。支持台１０６は、洗面器１０２を支持可能な任意の構成でよい。また、洗面器１０２は、例えば、洗面所などの壁面に直接取り付けてもよい。すなわち、支持台１０６は、必要に応じて設けられ、省略可能である。
【００２７】
水栓装置１０は、ボウル部１２２よりも上方に延びる壁面ＷＳに設けられる。水栓装置１０は、例えば、洗面器１０２のバックガード部１２４に取り付けられ、ボウル部１２２の上方に配置される。これにより、水栓装置１０は、洗面器１０２のボウル部１２２に向けて水を吐出する。本願明細書において、「前方」は、換言すれば、壁面ＷＳの向く方向である。
【００２８】
水栓装置１０の取付位置は、上記に限ることなく、例えば、洗面器１０２の後部上方に設けられる取付パネル（バックパネル）などに取り付けてもよいし、洗面所などの壁面に直接取り付けてもよい。水栓装置１０の取付位置は、ボウル部１２２内に水を吐出可能な任意の位置でよい。水栓装置１０の取付位置は、ボウル部１２２よりも上方に延びる任意の壁面ＷＳでよい。水栓装置１０の取付位置は、洗面器１０２の形状などに応じて適宜設定すればよい。
【００２９】
ミラーキャビネット１０８は、ボウル部１２２を有する洗面器１０２よりも上方に設置される。ミラーキャビネット１０８は、キャビネット本体１３０と、３枚の扉１３１〜１３３と、を有する。キャビネット本体１３０は、前方を開口させた略直方体の開口箱状であり、内部に物品を収納可能とする。また、各扉１３１〜１３３の前面には、鏡１３１ａ〜１３３ａが設けられている。なお、ミラーキャビネット１０８に設けられる扉及び鏡の数は、３枚に限ることなく、１枚又は２枚でもよいし、４枚以上でもよい。
【００３０】
照明装置１１０は、ミラーキャビネット１０８の上部に設けられている。照明装置１１０は、例えば、ミラーキャビネット１０８において各扉１３１〜１３３よりも上方に設けられる。照明装置１１０は、下方に向かって光を照射し、各扉１３１〜１３３（各鏡１３１ａ〜１３３ａ）、及びボウル部１２２を照らす。照明装置１１０は、ミラーキャビネット１０８の上部に限ることなく、ミラーキャビネット１０８の下部や側端部、内部に設けてもよい。
【００３１】
図２（ａ）及び図２（ｂ）は、実施形態に係る水栓装置を模式的に表す斜視図及び正面図である。  
図３（ａ）及び図３（ｂ）は、実施形態に係る水栓装置を模式的に表す断面図である。  
図４は、実施形態に係る水栓装置の一部を模式的に表す分解斜視図である。  
図５（ａ）及び図５（ｂ）は、実施形態に係る水栓装置の一部を模式的に表す斜視図である。
【００３２】
図２（ａ）、図２（ｂ）、図３（ａ）、図３（ｂ）、図４、図５（ａ）及び図５（ｂ）に表したように、水栓装置１０は、吐水部２０と、棚部３０と、ブラケット４０と、操作部５０と、を備える。なお、図３（ａ）は、図２（ａ）に示すＡ１−Ａ２線による断面図である。図３（ｂ）は、図２（ｂ）に示すＢ１−Ｂ２線による断面図である。図３（ａ）及び図４では、吐水部２０及び操作部５０は、省略されている。
【００３３】
吐水部２０は、ボウル部１２２へ水を吐出する。吐水部２０は、いわゆるスパウトである。吐水部２０には、水を吐出する吐水口２２が設けられている。操作部５０は、吐水部２０から吐出される水の流量を調整する。また、操作部５０は、吐水部２０から吐出される水の温度を調整する。操作部５０は、操作レバー５０ａを有する。操作部５０は、使用者による操作レバー５０ａの操作に応じて、吐水部２０から吐出される水の流量及び温度を調整する。操作部５０における流量及び温度の調整の態様は、操作レバー５０ａに限ることなく、流量及び温度を調整可能な任意の態様でよい。
【００３４】
吐水部２０は、支持台１０６の内部空間などにおいて湯水混合部などを介して給水管及び給湯管に接続される。湯水混合部は、例えば、操作レバー５０ａの後方に設けられる。吐水部２０から吐出される水は、例えば、上水（水道水）である。吐水部２０から吐出される水の温度調整は、操作部５０とは別の調整部で行ってもよい。操作部５０は、少なくとも吐水部２０から吐出される水の流量を調整できればよい。
【００３５】
棚部３０は、例えば、吐水部２０及び操作部５０の少なくとも一部を覆う。棚部３０は、例えば、左右方向に延びた略直方体の箱状である。棚部３０の下部は、丸みを帯びており、正面視において、棚部３０の下部から吐水部２０及び操作部５０の少なくとも一部が露出している。
【００３６】
吐水部２０は、棚部３０の下部に設けられ、下方に向けて水を吐出する。操作部５０の操作レバー５０ａは、棚部３０の下部に設けられ、下方に向かって延びる。操作レバー５０ａは、例えば、前後方向及び左右方向に揺動可能に上端部を軸支される。例えば、操作レバー５０ａを前後方向に揺動させることにより、吐水部２０から吐出される水の流量が調整され、操作レバー５０ａを左右方向に揺動させることにより、吐水部２０から吐出される水の温度が調整される。
【００３７】
吐水部２０は、棚部３０または壁面ＷＳに固定された固定式であってもよいし、棚部３０または壁面ＷＳから取り外すことができるプルアウト式であってもよい。この例では、吐水部２０は、バックガード部１２４に固定されている。プルアウト式の吐水部２０は、例えば、可撓性を有するホースに接続されており、吐水部２０が棚部３０に取り付けられた状態においては、ホースはバックガード部１２４の裏側の空間などに収納されている。吐水部２０を棚部３０から取り外し、ホースを引き出すことにより、吐水部２０をハンドシャワーとして用いることができる。
【００３８】
棚部３０は、上方に物品を載置可能なカウンター部３２と、カウンター部３２の前端部から後方に向かって下降傾斜した前方傾斜部３４と、を有する。カウンター部３２は、上面３２ａと前面３２ｂとを有する。カウンター部３２の上面３２ａは、洗面器１０２のバックガード部１２４に取り付けられた状態において、略水平となる。これにより、水栓装置１０では、カウンター部３２の上面３２ａの上に、コップなどの物品を置くことができる。また、カウンター部３２の上面３２ａを構成する棚板や表面シートなどのデザインを変更することにより、使用者のニーズに合わせて水栓装置１０の意匠性を変化させることもできる。
【００３９】
カウンター部３２の前面３２ｂは、例えば、上面３２ａの前端から略垂直に下方に延びる。前面３２ｂは、例えば、上下方向及び左右方向に延びる垂直面である。前方傾斜部３４は、前面３２ｂの下端から後方に向かって下降傾斜する。吐水部２０は、例えば、前方傾斜部３４に設けられ、前方斜め下方に向けて水を吐出する。また、吐水部２０は、例えば、前方傾斜部３４において左右方向の略中央に設けられる。
【００４０】
図４に表したように、棚部３０は、棚板３０ａとカバー３０ｂとに分離可能である。この例では、棚板３０ａの上面にさらに加飾板３０ｃが設けられており、加飾板３０ｃが上面３２ａを構成している。カバー３０ｂは、前面３２ｂ及び前方傾斜部３４を構成している。棚板３０ａは、棚部３０の内部に収納されたブラケット４０の上面を覆う。カバー３０ｂは、棚部３０の内部に収納されたブラケット４０の下面を覆う。棚板３０ａは、下面から下方に突出する突出部３６ａを有する。カバー３０ｂは、突出部３６ａの下端を受ける受け部３６ｂを有する（図３（ａ）参照）。棚板３０ａの突出部３６ａの下端をカバー３０ｂの受け部３６ｂに嵌めることで、棚板３０ａとカバー３０ｂとを組み立てることができる。
【００４１】
また、突出部３６ａの下端及び受け部３６ｂにはネジ穴が設けられている。突出部３６ａの下端を受け部３６ｂに嵌めた状態で、受け部３６ｂの下方から上方に向かってネジ止めすることで、棚板３０ａをカバー３０ｂに固定することができる。なお、棚部３０は、棚板３０ａとカバー３０ｂとが一体に形成されたものであってもよい。
【００４２】
カバー３０ｂは、吐水部２０が設けられる位置において、上方に向かって凹む第１凹部３１ａを有している。吐水部２０は、第１凹部３１ａ内に配置される。カバー３０ｂは、操作部５０が設けられる位置において、上方に向かって凹む第２凹部３１ｂを有している。操作部５０は、第２凹部３１ｂ内に配置される。また、この例では、カバー３０ｂの下方から第２凹部３１ｂを覆う操作部カバー３５が設けられている。操作部カバー３５は、操作レバー５０ａの後方（言い換えると、湯水混合部）を覆っている。
【００４３】
棚板３０ａの厚さは、例えば、１ｍｍ程度である。このような厚さであれば、ブラケット４０に容易に沿わせることができるため、棚板３０ａが反ることを抑制できる。棚板３０ａ、カバー３０ｂ、及び加飾板３０ｃは、例えば、ポリプロピレン製である。
【００４４】
棚部３０の後部は後方に向かって解放されており、棚部３０の内部には、棚部３０の後端から前方に向かって、ブラケット４０が収納される隙間が設けられている。この隙間は、例えば、棚板３０ａとカバー３０ｂとの間に設けられる。棚部３０を取り付ける際には、棚部３０の後端を洗面器１０２のバックガード部１２４に当接させるように取り付ける。換言すれば、棚部３０は、洗面器１０２のバックガード部１２４から前方に突出するように取り付けられる。
【００４５】
ブラケット４０は、棚部３０の内部に収納され、棚部３０を補強する。ブラケット４０は、例えば、ステンレス等の金属製である。ブラケット４０は、前方に延びる前延部４０ａと、前延部４０ａの後端から下方に延びる下延部４０ｂと、を有する。
【００４６】
前延部４０ａは、前後方向及び左右方向に沿って拡がる板状である。棚部３０は、ブラケット４０の前延部４０ａに沿って前後方向にスライド移動する。従って、前延部４０ａが略水平に拡がる場合、棚部３０は、前後方向に沿って略水平にスライド移動する。このように、前延部４０ａを略水平にすることで、棚部３０を薄くすることができ、デザイン性を向上させることができる。ここで、略水平とは、例えば、上記の効果を奏する程度であればよい。
【００４７】
下延部４０ｂは、上下方向及び左右方向に沿って拡がる板状である。下延部４０ｂは、例えば、配管等が設けられる位置において切り欠かれている。下延部４０ｂは、例えば、ネジ穴を有しており、ネジ止めにより洗面器１０２のバックガード部１２４に固定される。
【００４８】
この例では、ブラケット４０は、前延部４０ａの左側端の一部から下方及び左側方に延びる固定部４０ｃと、前延部４０ａの右側端の一部から下方及び右側方に延びる固定部４０ｄと、を有している。固定部４０ｃ及び４０ｄは、それぞれネジ穴を有しており、ネジ止めにより取り付けられた棚部３０のカバー３０ｂに固定される。
【００４９】
ブラケット４０の前後方向の幅は、棚部３０の前後方向の幅よりも短い。また、ブラケット４０の上下方向の幅は、棚部３０の上下方向の幅よりも短い。また、ブラケット４０の左右方向の幅は、棚部３０の左右方向の幅よりも短い。つまり、棚部３０の内部にブラケット４０の全体を収納することができる。また、前延部４０ａ及び下延部４０ｂの厚さは、例えば、２ｍｍ程度である。
【００５０】
ブラケット４０は、例えば、吐水部２０の上方に配置される。特に、プルアウト式の吐水部２０を設けようとした場合、ブラケット４０を吐水部２０の下方に設けると、ブラケット４０により吐水部２０のプルアウトの方向は、例えば、前方に限定される。これに対し、ブラケット４０を吐水部２０の上方に設けると、吐水部２０を前方だけでなく下方や前下方にもプルアウトすることが可能になる。つまり、プルアウトの方向に自由度を持たせることができる。
【００５１】
図５（ａ）及び図５（ｂ）に表したように、棚部３０の棚板３０ａの下面には、２つの突出部３６ａ及び２つのガイド部３７（ガイド部３７ａ及び３７ｂ）が設けられている。一方、ブラケット４０の前延部４０ａには、前方が開放されるように形成された２つの切り欠き部４２が設けられている。なお、図５（ａ）及び図５（ｂ）は、棚部３０の棚板３０ａ及びブラケット４０を下方から見た斜視図である。
【００５２】
ガイド部３７ａは、棚板３０ａの下面から下方に突出する第１部分８１と、第１部分８１の下端から右側方に延びる第２部分８２と、を有する（図３（ａ）参照）。ガイド部３７ｂは、棚板３０ａの下面から下方に突出する第３部分８３と、第３部分８３の下端から左側方に延びる第４部分８４と、を有する（図３（ａ）参照）。第１部分８１及び第３部分８３の上下方向の幅は、例えば、ブラケット４０の前延部４０ａの厚さよりも大きい。第１部分８１及び第３部分８３の後部の上下方向の幅は、第１部分８１及び第３部分８３の前部の上下方向の幅よりも大きくてもよい。このように第１部分８１及び第３部分８３の後部の上下方向の幅を大きくすることで、ブラケット４０を差し込みやすくしつつ、ブラケット４０を棚板３０ａの近くに保持しやすくなる。
【００５３】
各ガイド部３７は、左右方向において各突出部３６ａと並ぶ位置から前方に延びている。この例では、各ガイド部３７の後端は、左右方向において、２つの突出部３６ａの間に位置する。ガイド部３７ａの前後方向の幅は、各切り欠き部４２の前後方向の幅よりも長い。ガイド部３７ｂの前後方向の幅は、各切り欠き部４２の前後方向の幅よりも短い。ガイド部３７ａの第１部分８１とガイド部３７ｂの第３部分８３との間の左右方向の距離は、２つの切り欠き部４２の間の前延部４０ａの左右方向の幅と実質的に同じである。各ガイド部３７により、棚部３０とブラケット４０との左右方向の位置決めをすることができる。突出部３６ａ及びガイド部３７の数は、任意の数でよい。
【００５４】
各切り欠き部４２は、ブラケット４０が棚部３０内に収納された際に、各突出部３６ａ及び各ガイド部３７と対応する位置に設けられている。切り欠き部４２の数は、例えば、突出部３６ａの数と同じである。
【００５５】
突出部３６ａ及びガイド部３７は、それぞれブラケット４０を棚部３０の内部に誘導するガイド部として機能する。より具体的には、棚部３０をスライド移動させる際に、棚部３０（棚板３０ａ）の各突出部３６とブラケット４０の各切り欠き部４２との左右方向の位置を合わせて棚部３０をスライド移動させることで、ブラケット４０に対する棚部３０の左右方向の位置を規制し、ブラケット４０を棚部３０の内部の所定位置に誘導することができる。また、ブラケット４０の２つの切り欠き部４２の間の部分がガイド部３７ａの第１部分８１とガイド部３７ｂの第３部分８３との間に差し込まれることで、ブラケット４０に対する棚部３０の左右方向の位置を規制し、ブラケット４０を棚部３０の内部の所定位置に誘導することができる。さらに、ブラケット４０の２つの切り欠き部４２の間の部分がガイド部３７ａの第２部分８２及びガイド部３７ｂの第４部分８４と棚板３０ａの下面との間に差し込まれることで、ブラケット４０に対する棚部３０の上下方向の位置を規制し、ブラケット４０を棚部３０の内部の所定位置に誘導することができる。
【００５６】
このように、ガイド部を設けることで、安定してブラケット４０を棚部３０内に差し込むことができる。よって、より簡単にブラケット４０を棚部３０内に配置することができる。なお、この例では、突出部３６ｂ及びガイド部３７の両方が設けられているが、突出部３６ｂ及びガイド部３７のいずれか一方だけが、ガイド部として設けられてもよい。ガイド部３７は上記のように、ブラケット４０に対する棚部３０の左右方向の位置だけでなく、上下方向の位置も規制することができるため、より安定して誘導することができる。
【００５７】
なお、各突出部３６ａ及び各ガイド部３７は、棚板３０ａの後端部から前方に離間した位置に設けられている。これにより、ブラケット４０の前延部４０ａが左右方向に分断されないため、前延部４０ａに十分な強度を確保することができる。また、棚板３０ａではなくブラケット４０に切り欠き部４２を設けることで、複雑な構造に加工するのが難しい金属製のブラケット４０の構造を簡単なものにしながらも、ブラケット４０の強度を維持しつつ、ブラケット４０を安定して棚部３０内に差し込むことができる。
【００５８】
棚部３０の棚板３０ａの下面には、規制部３８が設けられている。規制部３８は、ブラケット４０が所定位置よりも棚部３０の内部に入らないように、ブラケット４０を規制する。規制部３８は、棚板３０ａの下面から下方に突出し、左右方向に延びている。棚板３０ａの後端と規制部３８との間の前後方向の距離は、ブラケット４０の前延部４０ａの前後方向の幅と同程度、又はそれよりも長い。規制部３８は、ブラケット４０の前延部４０ａの前端に当接してブラケット４０を止めることができるため、例えば、ブラケット４０を棚部３０内に収納した状態で運搬する際にも、ブラケット４０が棚部３０に衝突し棚部３０が破損することを抑制できる。
【００５９】
なお、各切り欠き部４２は、ブラケット４０が棚部３０内に収納された際に、各突出部３６ａと対応する位置に設けられている。従って、各突出部３６ａは、ブラケット４０の各切り欠き部４２の後端に当接してブラケット４０を止めることができるため、規制部３８と同様、ブラケット４０が棚部３０に衝突し棚部３０が破損することを抑制できる。
【００６０】
また、この例では、棚部３０の棚板３０ａの下面には、高さ調節部３９が設けられている。高さ調節部３９は、棚板３０ａの下面から下方に突出し、前後方向に延びる部分と左右方向に延びる部分とを有する。高さ調節部３９により、棚部３０の棚板３０ａとブラケット４０の前延部４０ａとの上下方向の距離を調整することができる。
【００６１】
水栓装置１０は、機能水吐出部６０と、機能水照射部６２と、を有している。機能水吐出部６０は、除菌作用を有する機能水をボウル部１２２に吐出する。機能水吐出部６０は、棚部３０の下部に設けられ、下方に向けて機能水を吐出する。機能水吐出部６０は、例えば、ボウル部１２２の排水口に向けて機能水を吐出する。
【００６２】
水栓装置１０では、例えば、機能水吐出部６０からボウル部１２２に機能水を吐出することにより、ボウル部１２２の排水口や排水口の内部における菌の繁殖を抑えることができる。洗面化粧台１００及び水栓装置１０では、例えば、排水口及び排水口の内部の除菌を行い、洗面器１０２を清潔に保つことができる。また、歯ブラシやコップなどに機能水を吐出することにより、これらの除菌を行うこともできる。機能水吐出部６０は、必要に応じて設けられ、省略可能である。
【００６３】
機能水照射部６２は、機能水吐出部６０と並べて棚部３０の下部に設けられている。また、機能水照射部６２は、下方に向けて設けられている。機能水照射部６２は、機能水吐出部６０から機能水を吐出する際に点灯する。機能水照射部６２は、機能水吐出部６０から吐出されている最中の機能水のうちで機能水吐出部６０よりも下方の所定範囲に存在する機能水に光を照射する。これにより、機能水照射部６２は、機能水の吐出が行われていることを使用者に報知するとともに、吐出されている機能水を見易くする。機能水照射部６２から光を照射することにより、例えば、機能水吐出部６０から霧状に噴霧されている機能水を見易くすることができる。機能水照射部６２は、必要に応じて設けられ、省略可能である。
【００６４】
水栓装置１０は、自動で吐水部２０から水を吐出する自動水栓装置である。水栓装置１０は、使用者の手を検知するセンサ７０を有しており、センサ７０による検知結果に応じて、例えば給水源及び給湯源に接続されている電磁弁を開閉することで、吐水部２０からの吐水及び止水を行う。電磁弁の開閉は、例えば、棚部３０内に設けられた制御部により制御される。センサ７０は、例えば、棚部３０の下部に設けられる。センサ７０は、例えば、吐水部２０の前方に設けられる。センサの位置は、上記に限ることなく、吐水部２０の近傍に存在する手を検知可能な任意の位置でよい。
【００６５】
以下、水栓装置１０の取り付けについて説明する。  
図６（ａ）、図６（ｂ）、図７（ａ）、及び図７（ｂ）は、実施形態に係る水栓装置の取り付けを模式的に表す斜視図である。
【００６６】
水栓装置１０を取り付ける際には、まず、図６（ａ）に表したように、吐水部２０、機能水吐出部６０、及び操作部５０を、洗面器１０２のバックガード部１２４に取り付ける。この例では、吐水部２０、機能水吐出部６０、及び操作部５０を、前方からのネジ止めにより洗面器１０２のバックガード部１２４に取り付けている。
【００６７】
次に、図６（ｂ）に表したように、ブラケット４０を、バックガード部１２４に取り付ける。この例では、ブラケット４０の下延部４０ｂを、前方からのネジ止めにより洗面器１０２のバックガード部１２４に固定している。このとき、ブラケット４０は、例えば、吐水部２０の上方に取り付けられる。
【００６８】
次に、図７（ａ）に表したように、棚部３０を前方から後方に向かってブラケット４０に沿ってスライド移動させ、棚部３０の内部にブラケット４０を収納する。このとき、ブラケット４０の切り欠き部４２と棚部３０の突出部３６ａにより左右方向の位置決めをし、ブラケット４０の２つの切り欠き部４２の間の部分が棚部３０の各ガイド部３７の間に位置するように、棚部３０をスライド移動させる。棚部３０の後端がバックガード部１２４に当接する位置まで、棚部３０をスライド移動させる。
【００６９】
次に、図７（ｂ）に表したように、棚部３０の下方から操作部カバー３５を取り付ける。そして、棚部３０とブラケット４０とを、固定する。例えば、棚部３０のカバー３０ｂの左右の端部とブラケット４０の固定部４０ｃ及び４０ｄと、を下方からのネジ止めによりに固定する。
【００７０】
以上、説明したように、実施形態に係る水栓装置１０によれば、ブラケット４０に対して棚部３０をスライド移動させるだけで、ブラケット４０を棚部３０内に差し込むことができる。そのため、従来のように、ブラケット４０に対して上カバー及び下カバーをそれぞれ固定する必要がなく、棚部３０内にブラケット４０を設けるための手間を削減することができる。
【００７１】
また、実施形態に係る水栓装置１０によれば、部品交換などのメンテナンスを行う際には、棚部３０とブラケット４０とを固定しているネジを外し、棚部３０を前方に向かってスライド移動させるだけで、容易に棚部３０を取り外すことができる。換言すれば、棚部３０の着脱を容易に行うことができる。また、実施形態に係る水栓装置１０によれば、吐水部２０を取り外さずに、棚部３０のみを取り外すことができる。従って、棚部３０の内部に制御部などの電子機器が収納される場合、吐水部２０を取り外さずに棚部３０のみを取り外すだけで、電子機器のメンテナンスを行うことができる。
【００７２】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、水栓装置１０などが備える各要素の形状、寸法、材質、配置などは、例示したものに限定されるわけではなく適宜変更することができる。  
また、前述した各実施形態が備える各要素は、技術的に可能な限りにおいて組み合わせることができ、これらを組み合わせたものも本発明の特徴を含む限り本発明の範囲に包含される。
【符号の説明】
【００７３】
１０ 水栓装置、  ２０ 吐水部、  ２２ 吐水口、  ３０ 棚部、  ３０ａ 棚板、  ３０ｂ カバー、  ３０ｃ 加飾板、  ３１ａ、３１ｂ 第１、第２凹部、  ３２ カウンター部、  ３２ａ 上面、  ３２ｂ 前面、  ３４ 前方傾斜部、  ３５ 操作部カバー、  ３６ａ 突出部、  ３６ｂ 受け部、  ３７、３７ａ、３７ｂ ガイド部、  ３８ 規制部、  ３９ 高さ調節部、  ４０ ブラケット、  ４０ａ 前延部、  ４０ｂ 下延部、  ４０ｃ、４０ｄ 固定部、  ４２ 切り欠き部、  ５０ 操作部、  ５０ａ 操作レバー、  ６０ 機能水吐出部、  ６２ 機能水照射部、  ７０ センサ、  ８１〜８４ 第１〜第４部分、  １００ 洗面化粧台、  １０２ 洗面器、  １０６ 支持台、  １０６ａ 本体部、  １０６ｂ、  １０６ｃ 引き出し、  １０８ ミラーキャビネット、  １１０ 照明装置、  １２２ ボウル部、  １２４ バックガード部、  １３０ キャビネット本体、  １３１〜１３３ 扉、  １３１ａ〜１３３ａ 鏡、  ＷＳ 壁面
【図１】
2019148093.tif 000003
【図２】
2019148093.tif 000004
【図３】
2019148093.tif 000005
【図４】
2019148093.tif 000006
【図５】
2019148093.tif 000007
【図６】
2019148093.tif 000008
【図７】
2019148093.tif 000009